(57)【要約】【課題】糸巻き状態や合わせ操作の確実性に影響を及ぼすことが無く、落下時の衝撃を簡易な構成で緩和して往復動装置を保護する魚釣用スピニングリールを提供する。【解決手段】本発明の魚釣用スピニングリール１は、リール本体２に装着したハンドル軸の回転運動をスプール５の往復動運動に変換すべく、先端にスプールを装着したスプール軸５ａの後部に連結された摺動体を具備する往復動装置を組み込んでいる。そして、スプール軸５ａの前部に装着されるスプール５の抜け止めを果たすドラグツマミ１２を、落下時の衝撃を緩和する緩衝構造にしたことを特徴とする。【選択図】    図１
2004180611.tif 000002
【特許請求の範囲】
【請求項１】
リール本体に装着したハンドル軸の回転運動をスプールの往復動運動に変換すべく、先端にスプールを装着したスプール軸の後部に連結された摺動体を具備する往復動装置を組み込んだ魚釣用スピニングリールにおいて、前記スプール軸の前部に装着されるスプールの抜け止め部材を、落下時の衝撃を緩和する緩衝構造としたことを特徴とする魚釣用スピニングリール。
【請求項２】
前記抜け止め部材は、スプール軸の前部に回動可能に装着されてスプールの制動力を調節するドラグツマミであることを特徴とする請求項１に記載の魚釣用スピニングリール。
【請求項３】
前記緩衝構造は、前記抜け止め部材に空洞部を有する弾性変形部によって構成されている請求項１又は２に記載の魚釣用スピニングリール。
【発明の詳細な説明】
【０００１】
【発明の属する技術分野】
本発明は、リール本体に装着したハンドルの回転操作運動を、スプール軸の前後往復動に変換する往復動装置をリール本体内に備え、スプール軸の前部に釣糸が巻回されるスプールを装着した魚釣用スピニングリールに関する。
【０００２】
【従来の技術】
上記したような魚釣用スピニングリールは、実際の釣りを行なう時、あるいは移動、携帯時等、誤って他物に当てたり、地面やコンクリート面に落下させてしまうことがある。スピニングリールは、リール本体の前方に、釣糸が巻回されるスプールが前後往復動可能に配設される構成であることから、スプールが下方に向かう姿勢で落下して、スプール落下時の衝撃がスプール軸方向に加わる可能性が高い。このため、落下時の衝撃力が、スプール及びスプール軸を介して往復動装置に加わって、回転運動を軸方向運動に変換する変換係合部や軸受部、ギヤの噛合部を変形、折損することがあり、往復動装置の円滑な作動に支障をきたすことがある。
【０００３】
そこで、例えば、特許文献１に開示されているように、落下時の衝撃を緩和する緩衝構造を備えた往復動装置が知られている。この往復動装置は、スピニングリールの落下時の衝撃を緩和するために、スプール軸の後端に設けられる摺動体を、スプール軸に連結される連結部と、回転運動を軸方向運動に変換する変換部とによる分離構造とし、両者の間にゴム部材を介在させることで、落下時に発生する衝撃を緩和する構成となっている。
【０００４】
【特許文献１】
実用新案登録第２５０４８６６号公報（第４図）。
【０００５】
【発明が解決しようとする課題】
しかしながら、往復動装置の摺動体を分離連結構造にすると、構成が複雑化して組み込み作業性が悪く、製造コストが高くなると共に、スプール軸、つまりスプールが回転方向及び軸方向にゴム部材の弾性変形分変位してしまうため、巻取り操作時に前後動されるスプール軸の移動量が巻取り負荷に影響され易く、糸巻き状態が安定しないという問題がある。また、実際に魚がヒットしたときの合わせ操作の確実性にも影響が生じる、等の問題がある。
【０００６】
本発明は、上記した問題に基づいて成されたものであり、糸巻き状態や合わせ操作の確実性に影響を及ぼすことが無く、落下時の衝撃を簡易な構成で緩和して往復動装置を保護する魚釣用スピニングリールを提供することを目的とする。
【０００７】
【課題を解決するための手段】
上記した目的を達成するために、本発明の魚釣用スピニングリールは、リール本体に装着したハンドル軸の回転運動をスプールの往復動運動に変換すべく、先端にスプールを装着したスプール軸の後部に連結された摺動体を具備する往復動装置を組み込んだ構成において、前記スプール軸の前部に装着されるスプールの抜け止め部材を、落下時の衝撃を緩和する緩衝構造としたことを特徴とする。
【０００８】
上記した構成においては、スプールの前方側に設けられるスプールの抜け止め部材（例えば抜け止め専用部材、ドラグ調節機能を兼用するドラグノブ等）を、落下時の前方側からの衝撃を緩和する緩衝構造とし、往復動装置側に緩衝構造を組み込まない構成としている。このため、往復動装置は、従来と同じ構成にすることが可能となり、スプールの往復動性能に影響を及ぼすことは無く、円滑な釣糸巻取り操作が行えるようになる。
【０００９】
【発明の実施の形態】
以下、本発明に係る魚釣用スピニングリールの実施形態を添付図面に沿って具体的に説明する。
図１乃至図３は、本発明の第１の実施形態を示す図であり、図１は、魚釣用スピニングリールの全体構成を示す図、図２は、ドラグ装置のドラグツマミ部分の構造を拡大して示す断面図、そして、図３は、図２のＡ−Ａ線に沿った断面図である。
【００１０】
図示されたスピニングリール１は、釣竿に装着するための脚部２ａが形成されたリール本体２と、リール本体前方に回転可能に配されたロータ３と、ロータ３の回転運動と同期して前後動可能に支持されたスプール５とを有している。前記ロータ３には、円筒部３ａと一対のベール支持部材３ｂが設けられており、各支持部材３ｂの先端には、ベール３ｃが釣糸巻取り位置と釣糸放出位置との間で反転可能となるように支持されている。また、リール本体２には、回転可能に支持されたハンドル軸を介してハンドル７が回転可能に装着されており、この回転操作によって、前記ロータ３は回転駆動されると共に、スプール５は往復駆動されるようになっている。
【００１１】
この場合、ロータ３は、ハンドル７の回転操作によって回転駆動される回転筒軸の前端部に固定され、スプール５は、スプール軸５ａの先端部に、軸受９を介して回転可能に支持されている。なお、スプール軸５ａの後端は公知の往復動装置が係合しており、この往復動装置は、スプール軸５ａの後端に設けられ、リール本体２内において、スプール軸５ａと平行に支持されたウォームシャフトの螺旋溝と係合する摺動体を具備し、ハンドル７を回転操作することで、ウォームシャフトを回転させて、摺動体を介してスプール軸５ａ（スプール５）を前後に往復動させるようになっている。
【００１２】
前記スプール５とスプール軸５ａとの間には、ドラグ装置１０が配設されており、スプール軸５ａに回転可能に支持されたスプール５に対して所望の制動力、すなわちスプール５に巻回された釣糸が繰り出された際に、スプールに対して所望の制動力を与えるようになっている。このドラグ装置１０は、ドラグ力の強弱の調節を行なうと共に、スプール５の抜け止めを果たす回動可能なドラグツマミ１２と、ドラグツマミ１２とスプール５の前端面との間に回転不能に介在される制動部材１４と、ドラグツマミ１２が不用意に回転しないように、ドラグツマミ１２の回転方向に抵抗力（節度）を与える弛緩防止機構１５とを備えている。
【００１３】
前記ドラグツマミ１２は、前記制動部材１４を押圧する押圧筒体１６に対して抜け止めされた状態で一体化されており、この押圧筒体１６には、スプール軸５ａの先端に形成された雄ネジ部と螺合するナット部材１８が嵌入されて、押圧筒体１６は、ドラグツマミ１２と共にスプール軸５ａに対して回動操作できるように構成されている。
【００１４】
前記弛緩防止機構１５は、押圧筒体１６の周壁に配設される弾発部材２０（押圧筒体の周壁に沿うようにして配設される環状のバネ部材）を備えており、この弾発部材２０には、一部において押圧筒体１６の周壁から突出する突部２０ａが形成されている。また、前記ナット部材１８と押圧筒体１６の底部との間には、弾性バネ２２が介在されており、押圧筒体１６をスプール前端面側に向けて付勢している。
【００１５】
前記制動部材１４には、ドラグツマミ１２側の表面に、弛緩防止機構の一部を構成するキャップ状のクリック部材２５が接着、ネジ止め等によって取り付けられている。このクリック部材２５の内周面には、周方向に沿って凹凸が形成されており、前記弾発部材２０の突部２０ａが係合するようになっている。これにより、ドラグツマミ１２を回動操作した際、それと共に一体回転する押圧筒体１６に設けられた弾発部材２０の突部２０ａが凹凸と係合し、ドラグツマミ１２の回動に節度を与える（ドラグツマミが弛緩しないような抵抗を与える）ようになっている。
【００１６】
また、上記した構成において、スプールの抜け止めを果たす部材であるドラグツマミ１２は、落下時における衝撃を緩和するように緩衝構造を備えている。この緩衝構造は、リール本体を誤って落下させた際に、スプール軸５ａの軸方向に作用する衝撃を緩和する（スプール軸５ａの後端に設けられた摺動体に対し、前方側からの衝撃を緩和する）ものであり、本実施形態では、ドラグツマミ１２の略中央部に、空洞部１２ａを介して径方向に延出するように堤状の弾性変形部１２ｂを橋設することで構成されている。
【００１７】
上記したような構成のドラグ装置１０によれば、ドラグツマミ１２の両側部を摘んで回動操作すると、それ自体が軸方向に沿って移動し、前記制動部材１４には、その回動操作量（軸方向への移動量）に応じた押圧力が、押圧筒体１６及びクリック部材２５を介して作用する。この結果、フリー回転可能に支持されたスプール５には、制動部材１４を介して所定の摩擦力が作用するため、釣糸繰り出し方向の回転に対して制動力が作用する。また、ドラグツマミ１２を回動操作すると、それと共に一体回転する押圧筒体１６に設けられた弾発部材２０の突部２０ａが、クリック部材２５の凹凸と係合し、ドラグツマミ１２の回動に節度を与えるため、ドラグツマミが弛緩するようなことはない。
【００１８】
そして、上記したようにドラグツマミ１２を緩衝構造とすべく、弾性変形部１２ｂを形成したことで、リール本体２を誤って落下させても、その衝撃は、空洞部１２ａを介して弾性変形部１２ｂが変形することで緩和されることから、スプール軸５ａに作用する衝撃も緩和される。この結果、スプール５の往復動装置を構成する摺動体とウォームシャフトとの間の係合部等を変形、折損させることがなくなって、往復動装置の円滑な作動が得られると共に、魚の合わせ動作に支障をきたすことがなくなる。また、上記した構成のように、緩衝構造を、リール本体内に設けられる往復動装置側ではなく、スプール前方側に設けられる抜け止め部材に設けたことから、落下等による衝撃を効果的に緩衝できると共に、構造も簡略化される。
【００１９】
特に、本実施形態では、緩衝構造をスプールの制動力を調節するドラグツマミ１２に一体化したことで、前方側に重量偏倚して衝撃が作用し易いスプールの前方側からの衝撃を確実に緩和できると共に、ドラグ機構の構造も複雑化するようなこともない。また、上記した構成では、空洞部１２ａを介在させて弾性変形部１２ｂを形成したことから、釣場移動時等、弾性変形部１２ｂに釣針等の仕掛けを一時的に係止することができるようになり、リールとしての実用性の向上が図れる。
【００２０】
上記した構成では、ドラグツマミ１２は、緩衝作用するものであれば良く、弾性変形部１２ｂを変形可能な金属製の塑性変形部として形成し、バンパー機能させても良い。この場合、合成樹脂や硬質ゴム等の弾性材料で形成すると緩衝作用がより向上する。なお、ドラグツマミ１２は、回動操作性を考慮して、両側部は変形しない形状、肉厚とし、中央部を変形可能な形状、薄肉部として形成するのが良い。
【００２１】
図４及び図５は、本発明の第２の実施形態を示す図であり、図４は、スプールの抜け止めを果たすドラグツマミ部分の構造を拡大して示す断面図、図５は、図４のＢ−Ｂ線に沿った断面図である。
この実施形態では、押圧筒体１６に対して抜け止め固定されるドラグツマミ３２を、上述したように緩衝構造にすると共に、緩衝構造を有する部分を別体として構成したものである。
【００２２】
具体的には、ドラグツマミ３２は、押圧筒体１６に対して抜け止め固定される本体３２ａと、この本体３２ａの底部に対してネジ部材３５によって着脱可能に構成され、上記した実施形態の構成と同様、本体３２ａの略中央部に、空洞部３２ｂを介して径方向に延出するように橋設される堤状の弾性変形部３２ｃとで構成されている。
【００２３】
このように緩衝構造は、緩衝作用を有する部分を別体として構成することが可能であり、このような構成においても、上記した実施形態と同様な効果が得られる。
なお、本実施形態では、弾性変形部３２ｃの裏面側外周に、スプールの前端部内周に摺接可能な弾性シール材３７を取着しており、ドラグ装置の内部にゴミや海水等の異物が浸入できないように構成されている。
【００２４】
図６及び図７は、本発明の第３の実施形態を示す図であり、図６は、スプールの抜け止めを果たすドラグツマミ部分の構造を拡大して示す断面図、図７は、図６のＣ−Ｃ線に沿った断面図である。
この実施形態では、押圧筒体１６に対して抜け止め固定されるドラグツマミ４２を、上述したように緩衝構造にすると共に、緩衝構造を有する部分を第２実施形態と同様、別体として構成したものである。
【００２５】
具体的には、ドラグツマミ４２は、押圧筒体１６に対して抜け止め固定される本体４２ａと、この本体４２ａの底部に対してネジ部材４５によって着脱可能に構成され、本体４２ａの略中央部に、空洞部４２ｂを介して径方向に延出するように橋設される堤状の弾性変形部４２ｃとで構成されている。この場合、ネジ部材４５の軸部の回りには落下時の衝撃を吸収するバネ部材４７が介在されており、弾性変形部４２ｃをバネ部材４７の付勢力に抗して、本体４２ａに対しスプール軸方向に沿って変位可能に支持すると共に、弾性変形部４２ｃを抜け止めするように保持している。
【００２６】
このように緩衝構造は、緩衝作用を有する部分を別体として構成すると共に、バネ部材のような付勢手段を用いて構成することが可能である。このような構成においても、上記した実施形態と同様な効果が得られると共に、弾性変形部４２ｃを硬質材で形成することが可能となる。なお、このような付勢手段を用いることによって、空洞部４２ｂを形成しなくても良く、また、付勢手段は、ゴム等の弾性体によって構成しても良い。
【００２７】
以上、本発明の実施形態について説明したが、往復動装置を保護する緩衝構造は、スプール５の抜け止め部材に設けられて、リール本体を落下したときに、スプール前端部からスプール軸方向に作用する衝撃を緩和するような構造であればその形状や材質等、適宜変形することが可能である。また、本実施形態では、緩衝構造は、ドラグ装置のドラグ力を調節するドラグツマミに設けたが、ドラグ装置をスプールの前端側に設けない構成のスピニングリールでは、スプール５の抜け止めを果たす抜け止め専用部材に設ければ良い。
【００２８】
【発明の効果】
以上、本発明によれば、糸巻き状態や、魚の合わせ操作の確実性に影響を及ぼすことが無く、落下時の衝撃を簡易な構成で緩和して往復動装置を保護する魚釣用スピニングリールが得られる。
【図面の簡単な説明】
【図１】本発明に係る魚釣用スピニングリールの全体構成を示す図。
【図２】ドラグ装置のドラグツマミ部分の構造を拡大して示す断面図。
【図３】図２のＡ−Ａ線に沿った断面図。
【図４】本発明の第２の実施形態を示す図であり、スプールの抜け止めを果たすドラグツマミ部分の構造を拡大して示す断面図。
【図５】図４のＢ−Ｂ線に沿った断面図
【図６】本発明の第３の実施形態を示す図であり、スプールの抜け止めを果たすドラグツマミ部分の構造を拡大して示す断面図。
【図７】図６のＣ−Ｃ線に沿った断面図。
【符号の説明】
１  魚釣用スピニングリール
２  リール本体
５  スプール
５ａ  スプール軸
７  ハンドル
１２，３２，４２  ドラグツマミ
【図１】
2004180611.tif 000003
【図２】
2004180611.tif 000004
【図３】
2004180611.tif 000005
【図４】
2004180611.tif 000006
【図５】
2004180611.tif 000007
【図６】
2004180611.tif 000008
【図７】
2004180611.tif 000009